(57)【要約】      （修正有）【課題】燃料等のコストを大幅に削減できるエコロジーな入浴施設向け浴槽水温維持システムを提供する。【解決手段】複数の浴槽１１０、２１０、３１０、４１０に一対一で対応するように浴槽側循環路１２０、２２０、３２０、４２０を配設し、当該浴槽側循環路に一対一で対応するように熱交換器１３０、２３０、３３０、４３０を配設し、当該熱交換器に一対一で対応するように熱源機側循環路１４０、２４０、３４０、４４０を配設し、当該熱源機側循環路に一対一で対応するように個別熱源機１５０を設ける。更に個別熱源機は対応する熱交換器の近傍に配設し、個別熱源機の熱供給能力を、対応する浴槽内の湯を所望の温度に維持することができるが当該対応する浴槽に加えて更に他の浴槽内の湯を所望の温度に維持することはできない程度とする。【選択図】図１
2014122762.tif 000002
【特許請求の範囲】
【請求項１】
複数の浴槽と、
当該複数の浴槽に一対一で対応するように配設された第１循環路と、
当該第１循環路に一対一で対応するように配設された熱交換器と、
当該熱交換器に一対一で対応するように配設された第２循環路と、
当該第２循環路に一対一で対応するように配設された個別熱源機と、を備え、
前記個別熱源機は対応する前記熱交換器の近傍に配設され、
前記個別熱源機の熱供給能力は、対応する前記浴槽内の湯を所望の温度に維持することができるが当該対応する前記浴槽に加えて更に他の浴槽内の湯を所望の温度に維持することはできない程度とされている、
ことを特徴とする浴槽水温維持システム。
【請求項２】
請求項１において、
前記第２の循環路には夫々予備熱源機が配設されると共に前記複数の第２循環路同士を繋ぐバイパス管路と当該パイパス管路を開閉するバルブが設けられている
ことを特徴とする浴槽水温維持システム。
【請求項３】
複数の浴槽を備えた入浴施設に設置され、前記複数の浴槽内の湯を所望の温度に維持するための維持系統と前記入浴施設内で使用される湯を供給する給湯系統の両方を担当している中央熱源機と、前記複数の浴槽毎に設置される熱交換器に対して湯を循環させている複数の循環路との間にバルブを設置することで前記中央熱源機と前記複数の循環路とを切り離す工程と、
前記複数の循環路の夫々に対応する前記浴槽内の湯を所望の温度に維持することができるが当該対応する前記浴槽に加えて更に他の浴槽内の湯を所望の温度に維持することはできない程度の熱供給能力を備えた個別熱交換器を前記複数の循環路の夫々に設置する工程と、を経る
ことを特徴とする浴槽水温維持システムの設置方法。
【発明の詳細な説明】
【技術分野】
【０００１】
本発明は、旅館・ホテル等宿泊施設に設置される入浴施設及びスーパー銭湯に代表される日帰り型入浴施設等において提供される浴槽（水槽）の湯の温度を維持管理するシステムに関する。
【背景技術】
【０００２】
旅館・ホテル等宿泊施設に設置される入浴施設及びスーパー銭湯に代表される日帰り型入浴施設等においては、一般に当該施設内に複数の浴槽（例えば露天風呂と内風呂、男湯と女湯など）が設置されている。また、これら複数の浴槽の湯の温度を維持したり、入浴施設内で使用される湯（例えばシャワーや湯おけに溜める湯など）を供給する為に、大型の中央熱源機（ボイラー）が設置されている。
【０００３】
若しくは、特許文献１のように、給湯系統だけは別の熱源機に対応させるが、各浴槽の湯温維持については単一の熱源機で管理をしている。
【先行技術文献】
【特許文献】
【０００４】
【特許文献１】特開２００７−１２０７８２号公報
【発明の概要】
【発明が解決しようとする課題】
【０００５】
特許文献１のようなシステムでは、大型の中央熱源機を設けて当該中央熱源機で全ての浴槽の湯温維持（や給湯）を集中管理できるため、管理自体は行い易いというメリットがある。
【０００６】
しかしながら、そのようなシステムの場合、中央熱源機の能力を相当程度高いもの（例えば、全ての浴槽を同時に昇温させると共に最大量の給湯が行われた場合にも対応できる能力）に設定する必要があるが、通常時（平常時）はそれ程の能力は必要ないため、能力の一部を使っているに過ぎない状態である。換言すると、排気量が大きく最大出力が大きなエンジンが、その能力を殆ど発揮することなくアイドリングしている状態であって、運転効率が悪く（燃費が悪く）なっている状態である。
【０００７】
また、各浴槽まで温水が通る循環路を設ける必要があるが、集中管理するために中央熱源機を設けようとすると、必然的に循環路（正確には循環路の総延長）が長くなってしまい、これに起因して熱エネルギーのロス（放熱）が大きくなってしまう。
【０００８】
また、近年においては、入浴施設等のユーザーの様々な志向に対応するため、各浴槽で提供されている湯の温度もバリエーションが求められているが、これらを一台の熱源機で対応させると、場合によっては、浴槽に張られたお湯と湯温維持の為に供給されるお湯との間の温度差が大きくなり、浴槽全体の湯温にムラ（場所による温度差）が生じるような場合もある。
【０００９】
また更に、仮にこの中央熱源機が故障等してしまうと、復旧するまで全ての浴槽がその影響を受けることにもなってしまう。
【００１０】
特に近年は、ボイラー用燃料価格の高騰の煽りや電気料金値上げの影響もあって、こういったシステムを運転する際の燃料等のコストが極めて重視される傾向にあり、低コストで運転できる浴槽水温維持システムが求められている。
【００１１】
また、通常、配管の洗浄や濾過材入替等のメンテナンス作業を行う場合は、休館日とせざるを得ず、営業日数が制限されてしまい経営効率上も問題があった。
【００１２】
そこで本発明は、こういった昔ながらの中央で集中管理するという考え方自体を発想転換し、熱源機の運転効率を高く保ち、熱エネルギーロスを少なくすることによって燃料等のコストを大幅に削減でき、熱源機故障による影響を最小限とすることが可能な入浴施設向け浴槽水温維持システムを提供する事をその課題としている。
【課題を解決するための手段】
【００１３】
上記課題を解決するべく、本願発明は、複数の浴槽と、当該複数の浴槽に一対一で対応するように配設された第１循環路と、当該第１循環路に一対一で対応するように配設された熱交換器と、当該熱交換器に一対一で対応するように配設された第２循環路と、当該第２循環路に一対一で対応するように配設された個別熱源機と、を備え、前記個別熱源機を対応する前記熱交換器の近傍に配設すると共に、前記個別熱源機の熱供給能力を、対応する前記浴槽内の湯を所望の温度に維持することができるが当該対応する前記浴槽に加えて更に他の浴槽内の湯を所望の温度に維持することはできない程度とする、ことを特徴とする浴槽水温維持システムである。要するに、各浴槽を中央熱源機から切り離して夫々の浴槽に対応した個別の熱源機を設けるのである。
【００１４】
このように、各浴槽に対応した個別の熱源機を配設するという構成とした事によって、仮に特定の個別熱源機が故障しても、当該個別熱源機が対応する浴槽以外の浴槽は影響を受けることはないし、更に、浴槽毎に湯温維持の為に供給する湯の温度を変えることも容易なので、浴槽に張られたお湯と湯温維持の為に供給されるお湯との間の温度差が大きくなり、浴槽全体の湯温にムラ（場所による温度差）が生じるようなことも防止できる。更に、各浴槽に対応して設けられている個別熱源機の熱供給能力は、対応する浴槽内の湯を所望の温度に維持することができるが当該対応する前記浴槽に加えて更に他の浴槽内の湯を所望の温度に維持することはできない程度（理想的には対応する浴槽内の湯を所望の温度に維持することができるギリギリの能力程度が望ましい）とされているので、熱源機の運転効率を常に高く維持することが可能となっている。例えば、市販されている家庭用のガス湯沸かし器程度の能力のものでも十分対応できるので、このようなものを個別熱源機として利用すれば設置コストを極めて低廉に抑えることが可能であるし、交換等が必要になった場合でも個別熱源機全体をそっくり新品と取り換えることも容易であるというメリットもある。加えて、各個別熱源機は、対応する熱交換器の近傍に配置されているので、各個別熱源機から対応する熱交換器までの配管が短くて済み、放熱によるエネルギーロスを大きく削減することが可能となっている。また、各系統別にメンテナンス作業を行うことが可能となるので、順次メンテナンス作業を行うことによって、休館日を設ける必要がない。即ち、営業効率が向上し、収益面でもメリットがある。なお、ここでいう「浴槽」には温水プールなども含まれるし、それ以外にも、例えば熱帯魚等を飼育するための水槽も含まれる概念である。
【００１５】
また、前記第２の循環路に夫々予備熱源機を配設すると共に前記複数の第２循環路同士を繋ぐバイパス管路と当該パイパス管路を開閉するバルブを設けるように構成してもよい。
【００１６】
このように構成することによって、個別熱源機が故障した場合のフェールセーフを２段階で構築することができる。即ち、第１段階として、第２循環路内に夫々予備熱源機が備わっているので、個別熱源機が故障しても予備熱源機に切り換えることで対応する事ができる。更に第２段階として、万が一、個別熱源機も予備熱源機も同時に故障した場合には、他の浴槽系統の第２循環路同士をバイパス管路を開いて連結し、更に当該他の浴槽系統の個別熱源機と予備熱源機を同時に運転させることによって、２つの浴槽の水温維持を十分に行う事が可能となっている。これは各浴槽系統の第２循環路の夫々に予備熱源機を設置し且つ第２循環路同士をバイパス管路で繋いでバルブにより開閉自在に構成して初めて得ることができるメリットである。
【００１７】
なお本願発明は、既存の中央熱源機を備えたシステムを一部利用しつつ本願発明に係るシステムを施工する発明としても観念できる。具体的には、複数の浴槽を備えた入浴施設に設置され、前記複数の浴槽内の湯を所望の温度に維持するための維持系統と前記入浴施設内で使用される湯を供給する給湯系統の両方を担当している中央熱源機と、前記複数の浴槽毎に設置される熱交換器に対して湯を循環させている複数の循環路との間にバルブを設置することで前記中央熱源機と前記複数の循環路とを切り離す工程と、前記複数の循環路の夫々に対応する前記浴槽内の湯を所望の温度に維持することができるが当該対応する前記浴槽に加えて更に他の浴槽内の湯を所望の温度に維持することはできない程度の熱供給能力を備えた個別熱交換器を前記複数の循環路の夫々に設置する工程と、を経ることを特徴とする浴槽水温維持システムの設置方法である。
【００１８】
このように既存設備の一部を生かしつつ設置できることから、設備を全面撤去して設置し直す必要がなく、設置の為のコストを大幅に削減することが可能となっている。更に、利用するのは既存設備の一部であるが、既存設備自体はバルブを設置して切り離すだけであってそのまま残すことが可能であるため、万が一の際にはバルブを開いて既存設備を利用することも可能である。
【発明の効果】
【００１９】
本発明を適用することで、熱源機の運転効率を高く保ち、熱エネルギーロスを少なくすることによって燃料等のコストを大幅に削減でき、熱源機故障による影響を最小限とすることが可能な浴施設向け浴槽水温維持システムを提供する事ができる。
【図面の簡単な説明】
【００２０】
【図１】本発明に係る浴槽水温維持システムの全体概略構成図である。
【図２】第１浴槽系の部分だけを取り出した部分拡大構成図である。
【図３】本発明に係る浴槽水温維持システム中の一部の個別熱源機が故障した場合を想定した運転状態を示す構成図である。
【発明を実施するための形態】
【００２１】
以下、添付図面を参照しつつ、本発明の実施形態の一例である浴槽水温維持システム１０について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２２】
〈浴槽水温維持システムの構成〉
図１に示しているように、本発明に係る浴槽水温維持システム１０は、４つの浴槽１１０、２１０、３１０、４１０とこれらの水温（湯温）を昇温維持するために夫々熱交換器や個別熱源機等を備えた４つの浴槽系（第１浴槽系１００、第２浴槽系２００、第３浴槽系３００、第４浴槽系４００）から構成されている。
【００２３】
具体的には、浴槽１１０、２１０、３１０、４１０と、これら浴槽１１０、２１０、３１０、４１０に一対一で対応するように配設された浴槽側循環路（第１循環路）１２０、２２０、３２０、４２０と、当該浴槽側循環路１２０、２２０、３２０、４２０に一対一で対応するように配設された熱交換器１３０、２３０、３３０、４３０と、この熱交換器１３０、２３０、３３０、４３０に一対一で対応するように配設された熱源機側循環路（第２循環路）１４０、２４０、３４０、４４０と、当該熱源機側循環路１４０、２４０、３４０、４４０に一対一で対応するように配設された個別熱源機１５０、２５０、３５０、４５０と、を備えている。また、これら個別熱源機１５０、２５０、３５０、４５０は対応する熱交換器１３０、２３０、３３０、４３０の近傍に配設されている。更に、熱源機側循環路１４０、２４０、３４０、４４０における個別熱源機１５０、２５０、３５０、４５０の隣には夫々予備熱源機１６０、２６０、３６０、４６０が配設されると共に複数の熱源機側循環路１４０、２４０、３４０、４４０同士を繋ぐバイパス管路６０と当該バイパス管路６０を開閉するバルブ１７０、１７２等が設けられている。
【００２４】
図２に示しているように、第１浴槽系１００は、第１浴槽１１０の水温（湯温）を所望の温度に保つためのシステムである。第１浴槽１１０には浴槽側循環路（第１循環路）１２０が接続されている。また、この浴槽側循環路１２０の他方には、熱交換器１３０が接続されている。即ち、第１浴槽１１０と熱交換器１３０を循環するように管路としての浴槽側循環路１２０が配設されている。浴槽側循環路１２０の途中には浴槽側循環路用ポンプ１２２が設置され、浴槽側循環路１２０の水（湯）を一方向に循環させることが可能に構成されている。また浴槽側循環路１２０の途中に三方弁１２４が設けられている。この三方弁１２４の一つの接続口には浴槽側循環路１２０を短絡するように短絡管１２６が設けられ、当該短絡管１２６にバルブ１２８を介して補給系統管路第２分岐路５４が接続されている。このように、浴槽側循環路（第１循環路）１２０は、第１浴槽１１０と熱交換器１３０との間を循環する管路として構成されている。
【００２５】
また、熱交換器１３０には、熱源機側循環路（第２循環路）１４０を介して、個別熱源機１５０と予備熱源機１６０が接続されている。即ち、熱交換器１３０と個別熱源機１５０（及び／又は予備熱源機１６０）を循環するように管路としての熱源機側循環路１４０が配設されている。熱源機側循環路１４０の途中には熱源機側循環路用ポンプ１４２が設置され、熱源機側循環路１４０の水（湯）を一方向に循環させることが可能に構成されている。また熱源機側循環路１４０の途中に三方弁１４６が設けられている。この三方弁１４６の一つの接続口には熱源機側循環路１４０を短絡するように短絡管１４８が設けられ、当該短絡管１４８にバルブ１４９を介して補給系統管路第１分岐路５２が接続されている。このように、熱源機側循環路（第２循環路）１４０は、熱交換器１３０と個別熱源機１５０（及び／又は予備熱源機１６０）の間を循環する管路として構成されている。より具体的には、熱源機側循環路用ポンプ１４２→短絡管１４１→バルブ１４４→三方弁１４６→個別熱源機１５０（及び／又は予備熱源機１６０）→熱交換器１３０→熱源機側循環路用ポンプ１４２という循環ルートが熱源機側循環路（第２循環路）１４０として構成されている。
【００２６】
個別熱源機１５０は、熱源機側循環路１４０から分岐した２本の分岐管１５２、１５４を介して接続されており、これら分岐管１５２、１５４の途中には夫々バルブ１５３、１５５が設けられている。また２本の分岐管１５２、１５４同士の間にもバルブ１５６が設けられている。この個別熱源機１５０の熱供給能力は、対応する第１浴槽１１０内の水（湯）を所望の温度に維持することができるが当該第１浴槽１１０に加えて更に他の浴槽（例えば第２浴槽２１０）内の湯を所望の温度に維持することはできない程度の能力の物が利用される。
【００２７】
予備熱源機１６０は、熱源機側循環路１４０から分岐した２本の分岐管１６２、１６４を介して接続されており、これら分岐管１６２、１６４の途中には夫々バルブ１６３、１６５が設けられている。また２本の分岐管１６２、１６４同士の間にもバルブ１６６が設けられている。この予備熱源機１６０の熱供給能力は、基本的には個別熱源機１５０と同じものであるが、対応する第１浴槽１１０内の水（湯）を所望の温度に維持することができるが当該第１浴槽１１０に加えて更に他の浴槽（例えば第２浴槽２１０）内の湯を所望の温度に維持することはできない程度の能力の物が利用される。
【００２８】
熱源機側循環路１４０は、更に、バルブ１７０、１７２を介してバイパス管路６０にも接続されており、更に既存設備と切り離すための切り離しバルブ１９０、１９２を介して既存設備である中央熱源機２０等と接続されている。
【００２９】
その他の浴槽系２００、３００、４００についても、上記した第１浴槽系と同じ構成で並列的に配置されている。よって図面上、数字下二桁が同一の符合を付するに止め重複した説明は省略する。
【００３０】
なおこれら４つの浴槽系１００、２００、３００、４００とこれらを繋ぐバイパス経路６０は、既存設備を利用して、その既存設備に付加するような形で構成されている。具体的には、中央熱源機２０と当該中央熱源機２０から伸びた昇温系統循環路４０が存在する事を前提に、切り離しバルブ１９０、１９２で昇温系統循環路４０を夫々の浴槽毎に独立させた上で、その切り離した昇温系統循環路４０の一部を短絡管１４１で短絡させる（更にはバルブ１７０、１７２による遮断も併せる）ことによって、独立した小さな循環路（熱源機側循環路１４０）を構成し、この中に個別熱源機１５０等を配設しているのである。
【００３１】
〈浴槽水温維持システムの作用・機能〉
本発明に係る浴槽水温維持システム１０は、通常運転時は図１に示しているような運転状態となる。各管路のうち太線として表している部分に水（湯）が循環しており、細線で表現している部分の管路は水（湯）が循環していないことを意味している。また太線で表現しているバルブは開いていて、細線で表現しているバルブは閉じている状態であることを意味している。また個別熱源機１５０及び予備熱源機１６０については、運転中のものを黒く塗りつぶして表現している。他の図面においても同じ条件で図示している。
【００３２】
このように、各浴槽系１００、２００、３００、４００は夫々個別に独立して個別熱源機１５０、２５０、３５０、４５０によって浴槽１１０、２１０、３１０、４１０の湯の温度が維持されている。よって、浴槽１１０、２１０、３１０、４１０毎に湯温維持の為に供給する湯の温度を変えることも容易なので、浴槽１１０、２１０、３１０、４１０に張られたお湯と湯温維持の為に供給されるお湯との間の温度差が大きくなり、浴槽全体の湯温にムラ（場所による温度差）が生じるようなことも防止できる。更に、各浴槽１１０、２１０、３１０、４１０に対応して設けられている個別熱源機１５０、２５０、３５０、４５０の熱供給能力は、対応する浴槽１１０、２１０、３１０、４１０内の湯を所望の温度に維持することができるが当該対応する浴槽１１０、２１０、３１０、４１０に加えて更に他の浴槽内の湯を所望の温度に維持することはできない程度（理想的には対応する浴槽内の湯を所望の温度に維持することができるギリギリの能力程度が望ましい）とされているので、熱源機の運転効率を常に高く維持することが可能となっている。例えば、市販されている家庭用のガス湯沸かし器程度の能力のものでも十分対応できるので、このようなものを個別熱源機１５０、２５０、３５０、４５０として利用すれば設置コストを極めて低廉に抑えることが可能であるし、交換等が必要になった場合でも個別熱源機１５０、２５０、３５０、４５０全体をそっくり新品と取り換えることも容易であるというメリットもある。加えて、各個別熱源機１５０、２５０、３５０、４５０は、対応する熱交換器１３０、２３０、３３０、４３０の近傍に配置されているので、各個別熱源機１５０、２５０、３５０、４５０から対応する熱交換器１３０、２３０、３３０、４３０までの配管が短くて済み、放熱によるエネルギーロスを大きく削減することも可能となっている。
【００３３】
また、図面上は示していないが、仮に特定の個別熱源機が故障した場合は簡単に予備熱源機に切り換えて運転を続行することが可能となっている。第１浴槽系１００を例に説明すると、仮に個別熱源機１５０が故障した場合には、予備熱源機１６０を運転させると共にバルブ１５６、１６３、１６５を開き且つバルブ１５３、１５５、１６６を閉じることによって、熱源を個別熱源機１５０から予備熱源機１６０側に切り換えることが可能である。他の浴槽系においても同様である。
【００３４】
更に、万が一にも、同じ浴槽系において、個別熱源機と予備熱源機が同時に故障した場合であっても、本発明に係る浴槽水温維持システム１０においては浴槽を通常通り昇温させ続けることが可能となっている。例えば図３は、第４浴槽系４００における個別熱源機４５０と予備熱源機４６０とが同時に故障した場合の運転状態の一例を示している。
【００３５】
本発明に係る浴槽水温維持システム１０では、各浴槽系の熱源機側循環路（第２循環路）が開閉バルブを介してパイパス管路６０で互いに接続された構成とされている。よって、バルブの開閉を行うことで異なる浴槽系の熱源機側循環路同士を恰も一つの循環路として構築することが可能となっている。具体的には、図３で示しているように、通常運転時に開いているバルブ３４４、４４４を閉じ、且つ、通常運転時に閉じているバルブ３７０、３７２、３７４、４７０、４７２、４７４を開くことによって、第３浴槽系３００の熱源機側循環路３４０と第４浴槽系４００の熱源機側循環路４４０とがバイパス管路６０と連通する。更に、バイパス管路６０のバルブ１７６、２７６を開き且つ熱源機周辺のバルブの開閉（図示している通り）を行うことによって、バイパス管路６０を介して第３浴槽系３００と第４浴槽系４００とが繋がり、一つの大きな循環路が構成される。更に、第３浴槽系３００の個別熱源機３５０と予備熱源機３６０を同時に運転させれば、第３浴槽３１０に加えて第４浴槽４１０の昇温も行うことができる。
【００３６】
なおここでは第３浴槽系３００を利用して第４浴槽系４００を補っているが、各バルブの開閉動作によって、第１浴槽系１００を利用することもできるし、第２浴槽系２００を利用することもできる。
【００３７】
更に、本システム１０は、上記説明したように必ずしも既存システムを利用して設置する必要はないものの、既存システム（中央熱源機を利用したシステム）を利用して設置した場合には、切り離しバルブ１９０、１９２等を開くことによって、昔からの既存システムの利用を再開することさえも可能となっている。
【００３８】
このように、本発明に係る浴槽水温維持システム１０は熱源機の故障に対して極めて自由度が高く、且つ信頼性の高いフェールセーフ機構が備わっているので、万一の場合でも入浴施設の営業を停止する必要もないし、一部の浴槽の利用を制限する必要もない。また、既存システムを利用して設置することが可能であるから、設置コストを低廉に抑えることも可能となっている。
【００３９】
なお、浴槽側循環路１２０、２２０、３２０、４２０内を循環する水（湯）に不足が生じた場合には、バルブ１２８、２２８、３２８、４２８を開くことによって、補給系統管路５０の補給系統管路第２分岐５４を介して必要量の水（湯）を補給することが可能となっている。同様に、熱源機側循環路１４０、２４０、３４０、４４０内を循環する水（湯）に不足が生じた場合には、バルブ１４９、２４９、３４９、４４９を開くことによって、補給系統管路５０の補給系統管路第１分岐５２を介して必要量の水（湯）を補給することが可能となっている。
【００４０】
〈その他の構成例〉
上記では浴槽が４つの例を前提に説明しているが、当然ながら浴槽の数はこれに限られない。複数である限り幾つであっても同様の構成により同様の効果を発揮させることが可能である。
【符号の説明】
【００４１】
１０・・・浴槽水温維持システム
２０・・・中央熱源機（既存）
３０・・・給湯系統循環路（既存）
３２・・・給湯系統循環路用ポンプ（既存）
４０・・・昇温系統循環路（既存）（既存）
４２・・・昇温系統循環路用ポンプ（既存）
５０・・・補給系統管路（既存）
５２・・・補給系統管路第１分岐路（既存）
５４・・・補給系統管路第２分岐路（既存）
６０・・・バイパス管路
６２・・・逆止弁
６４・・・膨張タンク
６６・・・エア抜き弁
１００・・・第１浴槽系
１１０・・・第１浴槽
１２０・・・浴槽側循環路（第１循環路）
１２２・・・浴槽側循環路用ポンプ
１２４、１４６・・・三方弁
１２８、１４４、１４９、１５３、１５５、１６３、１６５、１７０、１７２、１７６、１９０、１９２・・・弁
１３０・・・熱交換器
１４０・・・熱源機側循環路（第２循環路）
１４２・・・熱源機側循環路用ポンプ
１５０・・・個別熱源機
１６０・・・予備熱源機
２００・・・第２浴槽系
３００・・・第３浴槽系
４００・・・第４浴槽系
【図１】
2014122762.tif 000003
【図２】
2014122762.tif 000004
【図３】
2014122762.tif 000005